(57)【特許請求の範囲】
【請求項１】
シリンダボディ（２８）と、該シリンダボディ（２８）にその前端から回動可能に挿入されるとともにキー挿入孔（３０）が設けられるインナシリンダ（２９）と、該インナシリンダ（２９）に連動、連結される作動機構（６１）と、該作動機構（６１）を収容して前記シリンダボディ（２８）の後方に配置されるとともに前記シリンダボディ（２８）に連結されるケース（６０）とを備えるシリンダ錠装置において、前記キー挿入孔（３０）の前端に通じる開口部（７４）が設けられる端壁（７３ａ）を一端に有して合成樹脂により有底円筒状に形成されるハウジング（７３）に、一端を閉じるとともに他端を前記ハウジング（７３）の他端に開放するようにして前記ハウジング（７３）の周方向複数個所で軸方向に延びるスリット（７７）と、前記ハウジング（７３）の一端側に嵌入される前記シリンダボディ（２８）の外周の複数個所に一体に突設された第１係合突起（７８）をそれぞれ弾発係合させるようにして前記各スリット（７７）の一端および前記端壁（７３ａ）間に配置される複数の第１係合孔（７９）と、前記ハウジング（７３）の他端側に少なくとも一部を嵌合させる前記ケース（６０）の外周に一体に突設される複数の第２係合突起（８０）をそれぞれ弾発係合させるようにして前記各スリット（７７）間で前記ハウジング（７３）の他端部に配置される複数の第２係合孔（８１）とが設けられ、前記ケース（６０）の一部を構成するケース部材（６３）には、前記ハウジング（７３）の他端部に少なくとも一部を嵌合するのに応じて前記各スリット（７７）間で前記ハウジング（７３）の他端側外面に外方から当接する複数の開き防止部（８２）が一体に設けられることを特徴とするシリンダ錠装置。
【発明の詳細な説明】
【技術分野】
【０００１】
本発明は、シリンダボディと、該シリンダボディにその前端から回動可能に挿入されるとともにキー挿入孔が設けられるインナシリンダと、該インナシリンダに連動、連結される作動機構と、該作動機構を収容して前記シリンダボディの後方に配置されるとともに前記シリンダボディに連結されるケースとを備えるシリンダ錠装置に関する。
【背景技術】
【０００２】
シリンダボディの後方に配置されるスイッチ機構を収容する合成樹脂製のケースの周方向複数個所に、前記シリンダボディ側に延びる保持片が一体に連設され、シリンダボディの後部外周に一体に突設された複数の係合突起を、前記各保持片に設けられた係合孔に弾発係合することでシリンダボディおよびケースを連結するようにしたシリンダ錠装置が、特許文献１で既に知られている。
【特許文献１】特開平８−１８５７６６号公報
【発明の開示】
【発明が解決しようとする課題】
【０００３】
このようなシリンダ錠装置において、シリンダボディおよびケースの連結剛性を高めたいと言う要望があり、上記特許文献１で開示された構造において前記要望に応えるためには、保持片を長く形成し、シリンダボディの前部外周に突設された係合突起を保持片の前端部に設けられた係合孔に弾発係合することが考えられる。しかるに保持片を長く形成すると、ケースおよびシリンダボディの組付け時に、シリンダボディの外周に突設された係合突起は比較的長い距離にわたって保持片を撓ませるようにして該保持片の内面に接触することになり、組付け性の低下を招くことになる。
【０００４】
本発明は、かかる事情に鑑みてなされたものであり、組付け性の向上を図りつつケースおよびシリンダボディの連結剛性を高めるようにしたシリンダ錠装置を提供することを目的とする。
【課題を解決するための手段】
【０００５】
上記目的を達成するために、本発明は、シリンダボディと、該シリンダボディにその前端から回動可能に挿入されるとともにキー挿入孔が設けられるインナシリンダと、該インナシリンダに連動、連結される作動機構と、該作動機構を収容して前記シリンダボディの後方に配置されるとともに前記シリンダボディに連結されるケースとを備えるシリンダ錠装置において、前記キー挿入孔の前端に通じる開口部が設けられる端壁を一端に有して合成樹脂により有底円筒状に形成されるハウジングに、一端を閉じるとともに他端を前記ハウジングの他端に開放するようにして前記ハウジングの周方向複数個所で軸方向に延びるスリットと、前記ハウジングの一端側に嵌入される前記シリンダボディの外周の複数個所に一体に突設された第１係合突起をそれぞれ弾発係合させるようにして前記各スリットの一端および前記端壁間に配置される複数の第１係合孔と、前記ハウジングの他端側に少なくとも一部を嵌合させる前記ケースの外周に一体に突設される複数の第２係合突起をそれぞれ弾発係合させるようにして前記各スリット間で前記ハウジングの他端部に配置される複数の第２係合孔とが設けられ、前記ケースの一部を構成するケース部材には、前記ハウジングの他端部に少なくとも一部を嵌合するのに応じて前記各スリット間で前記ハウジングの他端側外面に外方から当接する複数の開き防止部が一体に設けられることを特徴とする。
【０００６】
なお実施例のスイッチケース６０が本発明のケースに対応し、実施例のスイッチ機構６１が本発明の作動機構に対応する。
【発明の効果】
【０００７】
本発明によれば、一端に端壁を有して合成樹脂により有底円筒状に形成されるハウジングの一端側に嵌入されるシリンダボディがハウジングに固定され、ハウジングの他端側に少なくとも一部を嵌合せしめるケースがハウジングの他端側に固定されるので、ケースおよびシリンダボディの連結剛性を高めることができる。また一端を閉じるとともに他端をハウジングの他端に開放するようにしてハウジングの周方向複数個所で軸方向に延びるスリットがハウジングに設けられており、各スリットの一端およびハウジングの一端の端壁間でハウジングに設けられる複数の第１係合孔にシリンダボディの外周の複数個所に一体に突設された第１係合突起をそれぞれ弾発係合させることでシリンダボディをハウジングに固定し、各スリット間でハウジングの他端部に設けられる複数の第２係合孔にケースの外周の複数個所に一体に突設された第２係合突起を弾発係合させることでケースをハウジングに固定するようにしているので、ハウジング内にその他端側からシリンダボディを嵌入する際に第１係合突起がハウジングの内面に接触するのはスリットの一端および第１係合孔の短い範囲ですみ、また前記ハウジングの他端側にケースの少なくとも一部を嵌合させる際に第２係合突起がハウジングの内面に接触するのも短い範囲ですみ、組付け性を高めることができる。また複数のスリットが設けられることによってそれらのスリットの両側でハウジングの他端側は半径方向外方に開き易くなり、またハウジング成形時に半径方向外方への反りがスリットの両側でハウジングの他端側に生じる可能性もあるが、ケースの一部を構成するケース部材に一体に設けられた複数の開き防止部が、各スリット間でハウジングの他端側外面に外方から当接するので、ケースに外力が作用してもハウジングへのケースの係合、固定状態が容易に解除されることはない。しかも開き防止部はケース部材に一体に設けられるものであり、開き防止を図るための専用部品は不要であり、部品点数の増大を抑えることができる。
【発明を実施するための最良の形態】
【０００８】
以下、本発明の実施の形態を、添付の図面に示した本発明の一実施例に基づいて説明する。
【０００９】
図１〜図１５は本発明の一実施例を示すものであり、図１は乗用車両のインストルメントパネルの右側を示す分解斜視図、図２はインナシリンダをオフ位置に回動した状態での図１の２矢視図、図３は図１の３矢視図、図４は図３の４矢視図、図５はシリンダ錠装置の分解斜視図、図６は図３の６−６線拡大断面図、図７は図４の７−７線拡大断面図、図８はインナシリンダがオフ位置で押し込まれた状態での図２の８−８線拡大断面図、図９はシリンダボディの斜視図、図１０は図６の１０−１０線断面図、図１１は図６の１１−１１線断面図、図１２はインナシリンダの斜視図、図１３はインナシリンダおよび係合部材の分解斜視図、図１４は図６の１４−１４線断面図、図１５はガイド・規制手段およびガイド手段の働きを説明するための図である。
【００１０】
先ず図１および図２において、左ハンドル車両におけるインストルメントパネル２１の右端壁２１ａに取付けられるサイドリッド２２には、本発明に従うシリンダ錠装置２３が、その前端をサイドリッド２２の表面に臨ませるようにして取付けられる。このシリンダ錠装置２３の前端は、前記車両における助手席側のサイドドア（図示せず）を閉じることによって該サイドドアで覆われる。
【００１１】
図３および図４を併せて参照して、前記シリンダ錠装置２３は、キー２４を挿入してオン位置およびオフ間で回動操作可能なシリンダ錠２５と、該シリンダ錠２５の回動操作に応じてスイッチング態様を切換えるスイッチ２６とを備えており、スイッチ２６は、シリンダ錠２５がオン位置にある状態で前記インストルメントパネル２１の助手席に対応した位置に内蔵される助手席側エアバッグ（図示せず）の作動を許可し、シリンダ錠２５がオフ位置にある状態で前記助手席側エアバッグの作動を禁止するものである。
【００１２】
図５〜図８において、前記シリンダ錠２５は、シリンダ孔２７を有するシリンダボディ２８と、オン位置およびオフ位置間での回動ならびに前記シリンダ孔２７の軸線に沿う方向で間隔をあけた前進位置および後退位置間での軸方向移動を可能として前記シリンダ孔２７に挿入されるとともにキー挿入孔３０が設けられるインナシリンダ２９と、前記キー挿入孔３０の軸線に直交する平面に沿ってスライドするようにして前記インナシリンダ２９に配設される第１および第２タンブラー３１，３２と、オフ位置からオン位置に回動する側にインナシリンダ２９を付勢するリターンスプリング３３と、インナシリンダ２９を前進位置側に付勢するプッシュスプリング３４と、インナシリンダ２９に固設される係合部材３５と、前記係合部材３５および前記シリンダボディ２８間に設けられるガイド・規制手段３６とを備える。
【００１３】
図９〜図１１を併せて参照して、シリンダボディ２８は、大径筒部２８ａと、大径筒部２８ａの後端に連設される小径筒部２８ｂとを一体に有して、たとえば亜鉛合金等の軽合金によって形成される。このシリンダボディ２８が有するシリンダ孔２７は、前端を開放した大径孔２７ａと、大径孔２７ａよりも小径にして大径孔２７ａの後端に前端が同軸に連なる中径孔２７ｂと、中径孔２７ｂよりも小径にして中径孔２７ｂの後端に同軸に連なる小径孔２７ｃとから成るものであり、大径孔２７ａおよび中径孔２７ｂは大径筒部２８ａ側に設けられ、小径孔２７ｃは小径筒部２８ｂ側に設けられ、中径孔２７ｂおよび小径孔２７ｃ間には前方に臨む環状の段部２７ｄが形成される。
【００１４】
前記シリンダボディ２８の大径筒部２８ａには、前記大径孔２７ａの内周の周方向に等間隔をあけた４個所から半径方向内方に突出するとともに中径孔２７ｂの内周に面一に連なって軸方向に延びる第１ガイド突部３８…と、それらの第１ガイド突部３８…間の中央部で前記大径孔２７ａの内周から半径方向内方に突出するとともに中径孔２７ｂの内周に面一に連なって軸方向に延びる４つの第２ガイド突部３９…とが一体に突設されており、前記大径孔２７ａおよび前記中径孔２７ｂ間には、第１および第２ガイド突部３８…，３９…間にそれぞれ位置する段部２７ｅ…が前方に臨むようにして形成される。しかも第１ガイド突部３８…の前端は、大径孔２７ａの前端よりも後退した位置に設定され、第２ガイド突部３９…の前端は第１ガイド突部３８…の前端よりも後退した位置に設定され、大径孔２７ａの周方向に沿う第１ガイド突部３８…の幅は第２ガイド突部３９…の幅よりも大きく設定される。
【００１５】
図１２を併せて参照して、インナシリンダ２９は、シリンダボディ２８のシリンダ孔２７における大径孔２７ａよりも大径に形成されてシリンダボディ２８の前方に配置される大径部２９ａと、前記大径孔２７ａに嵌合し得る第１中径部２９ｂと、前記シリンダボディ２８における第１および第２ガイド突部３８…，３９…の内周面で摺動可能に支持されるとともにシリンダ孔２７における中径孔２７ｂに嵌合し得る第２中径部２９ｃと、前記シリンダ孔２７の小径孔２７ｃに摺動可能に嵌合される小径部２９ｄとを一体に有して、たとえば亜鉛合金等の軽合金によって形成される。このインナシリンダ２９には、シリンダ孔２７の一直径線に沿って長く延びる矩形の断面形状を有するキー挿入孔３０が、インナシリンダ２９の前端に開放するようにして設けられ、キー２４は、インナシリンダ２９の前端からキー挿入孔３０に挿入可能である。
【００１６】
このインナシリンダ２９は、オン位置およびオフ位置間での回動を可能とするとともに、前記シリンダ孔２７の軸線に沿う方向で間隔をあけた前進位置（図６および図７で示す位置）および後退位置（図８で示す位置）間での軸方向移動を可能として、前記シリンダ孔２７に挿入される。而してインナシリンダ２９の前進位置では、図６および図７で示すように、インナシリンダ２９の第１中径部２９ｂはシリンダ孔２７の大径孔２７ａから前方に離脱した位置にあり、第２中径部２９ｃはシリンダ孔２７の中径孔２７ｂの前方で第１および第２ガイド突部３８…，３９…の内周面によって支持される位置にあり、インナシリンダ２９の後退位置では、図８で示すように、第１中径部２９ｂはシリンダ孔２７の大径孔２７ａに嵌合した位置にあり、第２中径部２９ｃの一部はシリンダ孔２７の中径孔２７ｂに嵌合した位置にある。
【００１７】
インナシリンダ２９の前端には、前記キー挿入孔３０に対応した矩形の開口部４５を有するカバー４６が、インナシリンダ２９の前端を覆うようにして取付けられる。またキー挿入孔３０の前端部には、前記開口部４５を内方から覆い得るシャッター板４７と、該シャッター板４７を回動可能に支承する支軸４８と、前記開口部４５を覆う側にシャッター板４７を付勢するばね４９とが収容され、キー２４は、その先端でシャッター板４７を押し開けるようにして前記キー挿入孔３０に挿入されることになる。
【００１８】
図１３および図１４を併せて参照して、前記インナシリンダ２９の小径部２９ｄはシリンダボディ２８から後方に突出するものであり、この小径部２９ｄの前記シリンダボディ２８からの突出部に係合部材３５が固設される。この係合部材３５は、前記小径部２９ｄを同軸に囲繞するリング板部３５ａと、前記シリンダボディ２８における小径筒部２８ｂを嵌合せしめるようにして前記リング板部３５ａの半径方向中間部に同軸に連なる嵌合筒部３５ｂと、前記リング板部３５ａの周方向に等間隔をあけた２個所から半径方向内方に突出する係合突部３５ｃ，３５ｃと、前記嵌合筒部３５ｂよりも内方で前記リング板部３５ａの周方向に等間隔をあけた２個所に突設されて前記嵌合筒部３５ｂの内周のリング板部３５ａ寄りの部分に一体に連なる突部３５ｄ，３５ｄとを一体に有する。
【００１９】
一方、インナシリンダ２９における小径部２９ｄの外周には、その後端から軸方向に延びる一対の係合凹部４０，４０と、それらの係合凹部４０…を横切るようにして環状に形成される環状凹部４１とが設けられる。而してインナシリンダ２９の小径部２９ｄは、前記両係合凹部４０…に前記両係合突部３５ｃ…を係合させるようにして、前記両突部３５ｄ…をシリンダボディ２８における小径筒部２８ｂの後端に当接させるまで係合部材３５に嵌挿されるものであり、シリンダボディ２８の小径筒部２８ｂとは反対側から係合部材３５のリング板部３５ａに係合するＥ型止め輪４２が前記環状凹部４１に嵌着される。すなわち係合部材３５は相対回転不能および軸方向移動を不能としてインナシリンダ２９の小径部２９ｄに装着されるものであり、小径部２９ｄに固定される。
【００２０】
リターンスプリング３３は、シリンダボディ２８の小径筒部２８ｂおよび係合部材３５の嵌合筒部３５ｂを囲繞するコイル状のものであり、該リターンスプリング３３の一端は、シリンダボディ２８の小径筒部２８ｂに係合される。すなわち前記小径筒部２８ｂには、その一部を切欠いた切欠き部４３が設けられており、その切欠き部４３の周方向一端側にリターンスプリング３３の一端が係合される。しかもリターンスプリング３３の前記切欠き４３から簡単に離脱してしまうことを防止するための係止突部４４が、切欠き部４３の周方向一端側後部から周方向他方に突出するようにしてシリンダボディ２８に一体に突設される。また前記係合部材３５におけるリング板部３５ａには、前記リターンスプリング３３の他端を係合させる係合孔５０が設けられる。而して前記リターンスプリング３３が発揮するばね力によってインナシリンダ２９は、オフ位置からオン位置に戻る側に付勢されることになる。
【００２１】
ガイド・規制手段３６は、前記インナシリンダ２９に固設された前記係合部材３５と、前記シリンダボディ２８の後端との間に設けられるものであり、前記係合部材３５に一体に設けられた突部３５ｄ，３５ｄと、前記シリンダボディ２８における小径筒部２８ｂの後端に形成されて前記突部３５ｄ，３５ｄをそれぞれ当接させるカム５１，５１とで構成される。
【００２２】
ところでインナシリンダ２９はプッシュスプリング３４によって前進位置側に付勢されており、インナシリンダ２９に固設された前記係合部材３５の突部３５ｄ…は、該係合部材３５の前方に配置される前記シリンダボディ２８に形成されるカム５１…に当接する側に付勢されることになる。
【００２３】
図１５において、前記カム５１は、インナシリンダ２９がオン位置で前進位置にある状態で前記係合部材３５の突部３５ｄを当接させるようにして前記シリンダボディ２８の周方向に延びる前進位置側当接面５１ａと、インナシリンダ２９のオン位置からオフ位置側への回動時にオフ位置となる直前で前記係合部材３５の突部３５ｄを当接させるようにして前記シリンダボディ２８の周方向に延びる後退位置側当接面５１ｂと、インナシリンダ２９がオン位置からオフ位置側に回動するのに応じて前記突部３５ｄを前記プッシュスプリング３４の付勢力に抗して前進位置側当接面５１ａから後退位置側当接面５１ｂに移動させるようにして前進位置側当接面５１ａおよび後退位置側当接面５１ｂ間を結ぶ傾斜面５１ｃと、インナシリンダ２９がオフ位置に回動したときに前記プッシュスプリング３４の付勢力で後退位置から前進位置に移動するのをガイドするとともに前進位置に移動したときにはオフ位置側に回動するのを規制するようにして前記後退位置側当接面５１ｂに直角に連なって軸方向に延びる規制面５１ｄとから成る。
【００２４】
すなわちガイド・規制手段３６は、インナシリンダ２９のオン位置からオフ位置への回動操作時にプッシュスプリング３４の付勢力に抗してインナシリンダ２９を前進位置から後退位置に後退させるとともにオフ位置ではプッシュスプリング３４の付勢力でインナシリンダ２９を後退位置から前進位置に前進させ、オフ位置で前進位置に前進したインナシリンダ２９のオフ位置からオン位置への回動を阻止することになる。
【００２５】
一方、シリンダボディ２８の前端部およびインナシリンダ２９の前部間には、前記インナシリンダ２９がオン位置からオフ位置に回動する際に前記ガイド・規制手段３６によってインナシリンダ２９が前進位置から後退位置に移動するのをガイドするためのガイド手段５２が設けられる。
【００２６】
このガイド手段５２は、前方に臨んで前記シリンダボディ２８の前端に形成される円弧状のガイド面５３と、該ガイド面５３に前方から当接するようにしてインナシリンダ２９の前部に設けられる当接突部２９ｅとから成り、該当接突部２９ｅは、インナシリンダ２９における大径部２９ａの外面に面一に連なるようにしてインナシリンダ２９の第１中径部２９ｂから半径方向外方に突出するようにしてインナシリンダ２９に一体に設けられる。
【００２７】
前記ガイド面５３は、インナシリンダ２９がオン位置で前進位置にある状態で前記当接突部２９ｅを当接させるようにして前記シリンダボディ２８の周方向に延びる前進位置側当接面５３ａと、インナシリンダ２９がオフ位置に回動して後退位置にある状態で前記当接突部２９ｅを当接させるようにして前記シリンダボディ２８の周方向に延びる後退位置側当接面５３ｂと、オン位置からオフ位置側への回動時にインナシリンダ２９が前進位置から後退位置に移動する際に前記当接突部２９ｅを当接させるようにして前進位置側当接面５３ａおよび後退位置側当接面５３ｂ間を結ぶ傾斜面５３ｃとから成る。
【００２８】
図１０に注目して、第１タンブラー３１は、キー挿入孔３０の軸線に直交する平面に沿ってスライドするようにしてインナシリンダ２９の第２中径部２９ｃに配設されるものであり、インナシリンダ２９および第１タンブラー３１間には、第１タンブラー３１の一部をインナシリンダ２９における第２中径部２９ｃの外面から突出せしめるように付勢するばね５４が設けられる。而してキー挿入孔３０に正規のキー２４が挿入されると、第１タンブラー３１は前記ばね５４のばね力に抗してインナシリンダ２９の第２中径部２９ｃに収容される。
【００２９】
ところでインナシリンダ２９は、オン位置およびオフ位置間で９０度回動するものであり、インナシリンダ２９のオン位置およびオフ位置で第１タンブラー３１は、シリンダボディ３８の内周に設けられている４つの第２ガイド突部３９…のうち２つの第２ガイド突部３９，３９に対応した周方向位置にある。しかも第１タンブラー３１は、インナシリンダ２９が前進位置にある状態では第２ガイド突部３９…よりも前方位置にあり、オン位置およびオフ位置でインナシリンダ２９が前進位置にあってキー挿入孔３０に正規のキー２４が挿入されずに第１タンブラー３１の一部がインナシリンダ２９の第２中径部２９ｃから突出している状態で、インナシリンダ２９からの第１タンブラー３１の突出部は、１つの前記第２ガイド突部３９に前方から対向している。したがってキー挿入孔３０に正規のキー２４を挿入することなくインナシリンダ２９を前進位置から後退位置に押圧しても第１タンブラー３１が第２ガイド突部３９に当接してインナシリンダ２９の後退移動を阻止することになり、４つの第２ガイド突部３９…のうち２つは第１タンブラー３１に当接してインナシリンダ２９の後退移動を阻止する移動阻止部として機能することになる。
【００３０】
図１１に注目して、第２タンブラー３２は、キー挿入孔３０の軸線に直交する平面に沿ってスライドするようにして第１タンブラー３１よりも後方でインナシリンダ２９の第２中径部２９ｃに配設されるものであり、インナシリンダ２９および第２タンブラー３２間には、第２タンブラー３２の一部をインナシリンダ２９における第２中径部２９ｃの外面から突出せしめるように付勢するばね５５が設けられる。而してキー挿入孔３０に正規のキー２４が挿入されると、第２タンブラー３２は前記ばね５５のばね力に抗してインナシリンダ２９の第２中径部２９ｃに収容される。
【００３１】
インナシリンダ２９のオン位置およびオフ位置で第２タンブラー３２は、第１タンブラー３１と同様に、２つの第２ガイド突部３９，３９に対応した周方向位置にある。しかも第２タンブラー３２のインナシリンダ２９からの突出部には、第２ガイド突部３９を係合させ得る係合凹部５６が設けられており、オン位置およびオフ位置でインナシリンダ２９が前進位置にあってキー挿入孔３０に正規のキー２４が挿入されずに第２タンブラー３２の一部がインナシリンダ２９の第２中径部２９ｃから突出している状態で、インナシリンダ２９からの第２タンブラー３２の突出部の前記係合凹部５６は、該係合凹部５６内に第２ガイド突部３９の一部を収容する位置にある。
【００３２】
インナシリンダ２９がオフ位置で前進位置にある状態で、リターンスプリング３３でオン位置側に回動付勢されるインナシリンダ２９のオン位置側への回動は、ガイド・規制手段３６の突部３５ｄ…が規制面５１ｄ…に当接することで規制されるものであり、この際、キー挿入孔３０に正規のキー２４を挿入していないことによってインナシリンダ２９から突出した状態にある第１および第２タンブラー３１，３２は、第２ガイド突部３９に当接、係合することはなく、したがってリターンスプリング３３による付勢力が第１および第２タンブラー３１，３２とシリンダボディ２８との間に作用することはない。一方、インナシリンダ２９がオン位置で前進位置にある状態では、キー挿入孔３０に正規のキー２４を挿入しない状態でオフ位置側に回動する力がインナシリンダ２９に作用したときには、第２タンブラー３２の前記係合凹部５６に配置されている第２ガイド突部３９が第２タンブラー３２に当接、係合することによってインナシリンダ２９がオフ位置側に回動することが阻止される。
【００３３】
図６〜図８において、スイッチ２６は、前記シリンダボディ２８の後方に固定配置される合成樹脂製のスイッチケース６０にスイッチ機構６１が収容されて成るものであり、スイッチケース６０は、合成樹脂によって後方側に開放した椀状に形成される第１ケース部材６２と、先端部を第１ケース部材６２の後部開放端に嵌合する筒部６３ａを有する第２ケース部材６３とが相互に結合されて成り、第２ケース部材６３にはカプラ部６３ｂが一体に形成される。
【００３４】
前記スイッチ機構６１は、第２ケース部材６３に一体に形成されるリング板状の接点支持部６４と、該接点支持部６４に前方から対向して合成樹脂により円板状に形成される回動部材６５と、第１ケース部材６２の中央部に設けられた貫通孔６７を回動可能に貫通するとともに後部が第２ケース部材６３に回動可能に支持される合成樹脂製の連結軸６６と、前記接点支持部６４に配設される複数の固定接点（図示せず）と、それらの固定接点への導通・遮断を前記回動部材６５の回動に応じて切り換えるようにして該回動部材６５に配設される複数の可動接点６９…とで構成される。
【００３５】
前記連結軸６６は回動部材６５に相対回動不能に連結されるものであり、この実施例では、連結軸６６および回動部材６５は一体に形成される。
【００３６】
前記連結軸６６の前端は、インナシリンダ２９の後端に設けられた連結凹部７０に相対回動不能に嵌合されることでインナシリンダ２９に連結されており、インナシリンダ２９の回動に応じて連結軸６６および回動部材６５が回動する。
【００３７】
ところでプッシュスプリング３４は、導電金属によってコイル状に形成されるものであり、このプッシュスプリング３４は、インナシリンダ２９の後端部に固定されるばね受け部材７１と、シリンダボディ２８に連結されることでシリンダボディ２８の後方に固定配置される前記スイッチケース６０の第１ケース部材６２との間に縮設される。
【００３８】
前記ばね受け部材７１は、前記インナシリンダ２９の後端部である小径部２９ｄを嵌合させる内筒部７１ａと、前記インナシリンダ２９の後端面に当接するようにして前記内筒部７１ａから半径方向内方に張り出す環状の当接部７１ｂと、前記内筒部７１ａから半径方向外方に張り出す鍔部７１ｃと、該鍔部７１ｃの外周に連なってスイッチケース６０側に延びる外筒部７１ｄとを一体に有して非導電性材料から成るものであり、前記スイッチケース６０の第１ケース部材６２と、前記鍔部７１ｃとの間に、前記内筒部７１ａを囲繞するようにして前記プッシュスプリング３４が設けられる。
【００３９】
而してばね受け部材７１は、その当接部７１ｂをインナシリンダ２９の後端面に当接させるようにプッシュスプリング３４で付勢されており、インナシリンダ２９の後端部を嵌合せしめたばね受け部材７１と、シリンダボディ２８の後方に固定配置されるスイッチケース６０の第１ケース部材６２との間にプッシュスプリング３４が設けられることで、ばね受け部材７１がインナシリンダ２９の後端部に実質的に固定されることになる。
【００４０】
シリンダ錠２５およびスイッチ２６は合成樹脂製のハウジング７３を介して連結されるものであり、このハウジング７３は、キー挿入孔３０の前端に通じる開口部７４が設けられる端壁７３ａに筒部７３ｂの一端が一体に連なるようにして合成樹脂により有底円筒状に形成され、端壁７３ａは、その外周が筒部７３ｂの外周よりも半径方向外方に張り出すようにしてリング状に形成される。このハウジング７３の一端側にはシリンダ錠２５のシリンダボディ２８が嵌入されるものであり、キー挿入孔３０の前端に通じ得る開口部４５を有してインナシリンダ２９の前端に装着されたカバー４６の前面には、前記開口部４５を前記端壁７３ａの開口部７４に通じさせる開口部７５を有するシール部材７６が接着され、このシール部材７６は、インナシリンダ２９が前進位置にあるときには前記端壁７３ａの内面に接触する。
【００４１】
また前記端壁７３ａの前面には、インナシリンダ２９の回動位置すなわち前記キー挿入孔３０、開口部４５，７５の位置を示すためのオン位置（ＯＮ）およびオフ位置（ＯＦＦ）が表示される。
【００４２】
前記ハウジング７３における筒部７３ｂには、一端を閉じるとともに他端をハウジング７３の他端すなわち筒部７３ｂの他端に開放するようにして前記ハウジング７３の周方向複数個所たとえば２個所で軸方向に延びるスリット７７，７７と、前記ハウジング７３の一端側に嵌入されるシリンダボディ２８の外周の複数個所たとえば２個所に一体に突設された第１係合突起７８，７８をそれぞれ弾発係合させるようにして前記各スリット７７…の一端および前記端壁７３ａ間に配置される複数たとえば２つの第１係合孔７９，７９と、前記ハウジング７３における筒部７３ｂの他端側に少なくとも一部を嵌合させる前記スイッチケース６０における第２ケース部材６３の外周に一体に突設される複数たとえば４つの第２係合突起８０，８０…をそれぞれ弾発係合させるようにして前記各スリット７７…間で前記筒部７３ｂの他端部に配置される複数たとえば４つの第２係合孔８１，８１…とが設けられる。
【００４３】
一方、スイッチケース６０の一部を構成する第２ケース部材６３には、前記ハウジング７３の他端にスイッチケース６０の少なくとも一部（この実施例では一部）を嵌合するのに応じて、前記各スリット７７…間で前記ハウジング７３の他端側すなわち筒部７３ｂの他端側外面に外方から当接する複数たとえば２つのの開き防止部８２，８２が設けられる。
【００４４】
而してシリンダボディ２８は、ハウジング７３の他端から該ハウジング７３の一端側に嵌入されるものであり、シリンダボディ２８の第１係合突起７９…をハウジング７３の第１係合孔７９…に弾発係合することで、ハウジング７３に固定される。またハウジング７３の他端側に一部が嵌合されるスイッチケース６０は、その第２係合突起８０…をハウジング７３の他端側の第２係合孔８１…に弾発係合せしめることで、ハウジング７３に固定される。
【００４５】
このようにシリンダ錠２５およびスイッチ２６がハウジング７３を介して連結されたシリンダ錠装置２３を取り付けるために、インストルメントパネル２１の右端壁２１ａに設けられた開口部８４を貫通してインストルメントパネル２１の内方に延びる取付け筒部８３がサイドリッド２２に一体に設けられる。而してシリンダ錠装置２３は、図６で明示するように、その前端の端壁７３ａの外周部を前記取付け筒部８３の外端周縁部に係合するようにして取付け筒部８３に挿入される。しかもハウジング７３の軸方向中間部であって前記スリット７７，７７間の中央部で前記筒部７３ｂの外周には、前方に延びる係合腕部８５，８５の基端が一体に連設されており、シリンダ錠装置２３を取付け筒部８３に挿入する際に取付け筒部８３の内面に摺接して半径方向内方に撓んでいた前記腕部８５…の先端部は、前記端壁７３ａの外周部を取付け筒部８３の外端周縁部に係合するまでシリンダ錠装置２３を挿入するのに応じて取付け筒部８３の内端に弾発的に係合し、これによりシリンダ錠装置２３がサイドリッド２２に取付けられる。
【００４６】
次にこの実施例の作用について説明すると、シリンダ錠２５において、キー挿入孔３０が設けられるインナシリンダ２９は、オン位置およびオフ位置間の回動ならびにシリンダボディ２８が有するシリンダ孔２７の軸線に沿う方向で間隔をあけた前進位置および後退位置間での軸方向移動を可能として前記シリンダ孔２７に挿入され、リターンスプリング３３のばね力によってオン位置側に回動付勢されるとともにプッシュスプリング３４で前進位置側に付勢されており、インナシリンダ２９に固設される係合部材３５とシリンダボディ２８との間に設けられるガイド・規制手段３６は、キー挿入孔３０に挿入された正規のキー２４による前記インナシリンダ２９のオン位置からオフ位置への回動操作時に前記プッシュスプリング３４の付勢力に抗して前記インナシリンダ２９を前進位置から後退位置に後退させるとともにオフ位置ではプッシュスプリング３４の付勢力で前記インナシリンダ２９を後退位置から前進位置に前進させ、オフ位置では前進位置にある前記インナシリンダ２９のオフ位置からオン位置への回動を阻止するように構成されている。
【００４７】
すなわちキー挿入孔３０に正規のキー２４を挿入してインナシリンダ２９をオン位置からオフ位置に回動操作すると、ガイド・規制手段３６の働きによって、インナシリンダ２９はオフ位置の前進位置で、オン位置側に回動することなくリターンスプリング３６のばね力に抗してオフ位置に保持されることになる。したがってキー挿入孔３０に挿入されるキー２４が正規のキー２４であるか否かを判定するためにキー挿入孔３０への正規のキー２４の非挿入時にインナシリンダ２９の外周から突出するようにしてインナシリンダ２９にスライド可能に配設される第１および第２タンブラー３１，３２をその突出位置でシリンダボディ２８に当接、係合させることでインナシリンダ２９のオフ位置を保持する必要はなく、インナシリンダ２９に固設される係合部材３５およびシリンダボディ２８間に設けられるガイド・規制手段３６がリターンスプリング３３のばね力を受けることになり、第１および第２タンブラー３１，３２とシリンダボディ２８との間にリターンスプリング３３のばね力が作用することはないので、キー挿入孔３０へのキー２４の挿入フィーリングが悪くなる（重くなる）ことはない。
【００４８】
しかも第１および第２タンブラー３１，３２がインナシリンダ２９から突出しなくともインナシリンダ２９がオフ位置で保持されるので、オフ位置ではキー２４を抜いても、抜かなくてもインナシリンダ２９をオフ位置で保持することができ、利便性を高めることができる。
【００４９】
またシリンダボディ２８におけるシリンダ孔２７の内周に設けられた４つの第２ガイド突部３９…の１つに、オフ位置でインナシリンダ２９の外周から突出した状態にある第１タンブラー３１が係合、当接して、前進位置から後退位置に向けての前記インナシリンダ２９の後退移動が阻止されるので、オフ位置でキー挿入孔３０に正規のキー２４を挿入しないままでインナシリンダ２９を後退位置側にプッシュ操作しても、インナシリンダ２９を前進位置から後退位置に後退させることはできず、したがってインナシリンダ２９がオン位置側に戻ることはない。しかもそのようにインナシリンダ２９の後退移動を阻止するための構成の一部に、キー挿入孔３０に挿入されるキー２４が正規のキー２４であるか否かを判定するための第１タンブラー３１を用いるので、部品点数が増加することを回避することができる。
【００５０】
ところでシリンダ錠装置２３は、シリンダボディ２８ならびに該シリンダボディ２８のシリンダ孔２７に挿入されるインナシリンダ２９を備えるシリンダ錠２５と、インナシリンダ２９に連動、連結されるスイッチ機構６１がシリンダボディ２８の後方に配置されるスイッチケース６０に収容されて成るスイッチ２６とがハウジング６３を介して連結されるように構成されるものであり、端壁７３ａを一端に有して合成樹脂により有底円筒状に形成されるハウジング７３に、該ハウジング７３の一端側に嵌入される前記シリンダボディ２８の外周の複数個所に一体に突設された第１係合突起７８…をそれぞれ弾発係合させる複数の第１係合孔７９…と、ハウジング７３の他端側に少なくとも一部を嵌合させる前記スイッチケース６０の一部を構成する第２ケース部材６３の外周に一体に突設される複数の第２係合突起８０…をそれぞれ弾発係合させる複数の第２係合孔８１…が設けられる。したがってハウジング７３の一端側に嵌入されるシリンダボディ２８がハウジング７３に固定され、ハウジング７３の他端側に少なくとも一部を嵌合せしめるスイッチケース６０ハウジング７３の他端側に固定されるので、スイッチケース６０およびシリンダボディ２８の連結剛性を高めることができる。
【００５１】
しかも前記ハウジング７３には、一端を閉じるとともに他端を前記ハウジング７３の他端に開放するようにしてハウジング７３の周方向複数個所で軸方向に延びるスリット７７…が設けられ、第１係合孔７９…は、前記各スリット７７…の一端および前記端壁７３ａ間に配置されるものであり、ハウジング７３内にその他端側からシリンダボディ２８を嵌入する際に第１係合突起７８…がハウジング７３の内面に接触するのはスリット７７…の一端および第１係合孔７９…の短い範囲ですむ。またスイッチケース６０の外周の第２係合突起８０…をそれぞれ弾発係合させる複数の第２係合孔８１…が前記各スリット７７…間で前記ハウジング７３の他端部に配置されるので、ハウジング７３の他端側にスイッチケース６０の少なくとも一部を嵌合させる際に第２係合突起８０…がハウジング７３の内面に接触するのも短い範囲ですむ。すなわちシリンダ錠２５およびスイッチ２６をハウジング７３で連結する際に、第１係合突起７８…および第２係合突起８０…がハウジング７３の内面に接触する距離を短くして組付け性を高めることができる。
【００５２】
また複数のスリット７７…が設けられることによってそれらのスリット７７…の両側でハウジング７３の他端側は半径方向外方に開き易くなり、またハウジング７３の成形時に半径方向外方への反りがスリット７７…の両側でハウジング７３の他端側に生じる可能性もあるが、スイッチケース６０には、該スイッチケース６０の少なくとも一部をハウジング７３の他端部に嵌合するのに応じて各スリット７７…間で前記ハウジング７３の他端側外面に外方から当接する複数の開き防止部８２…が設けられるので、スイッチケース６０に外力が作用してもハウジング７３へのスイッチケース６０の係合、固定状態が容易に解除されることはない。しかも開き防止部８２…はスイッチケース６０の一部を構成する第２ケース部材６３に一体に設けられるものであり、開き防止を図るための専用部品は不要であり、部品点数の増大を抑えることができる。
【００５３】
またインナシリンダ２９の後端部には非導電性材料から成るばね受け部材７１が固定されるものであり、このばね受け部材７１は、インナシリンダ２９の後端部を嵌合させる内筒部７１ａと、インナシリンダ２９の後端面に当接するようにして内筒部７１ａから半径方向内方に張り出す環状の当接部７１ｂと、内筒部７１ａから半径方向外方に張り出す鍔部７１ｃと、鍔部７１ｃの外周に連なってスイッチケース６０側に延びる外筒部７１ｄとを一体に有し、前記鍔部７１ｃおよびスイッチケース６０間にプッシュスプリング３４が縮設されるので、金属製であるインナシリンダ２９から金属製であるプッシュスプリング３４までの前記ばね受け部材７１の沿面距離を大きく設定することができ、インナシリンダ２９からプッシュスプリング３４への静電気の通り抜けを防止し、それによりスイッチ機構６１ならびにスイッチ機構６１からの信号を受ける制御ユニットに高電圧が作用することを防止することができる。さらにインナシリンダ２９の後端はばね受け部材７１の当接部７１ｂで覆われるので、インナシリンダ２９の後端から空間を経てスイッチケース６０側に放電が生じることもない。
【００５４】
以上、本発明の実施例を説明したが、本発明は上記実施例に限定されるものではなく、特許請求の範囲に記載された本発明を逸脱することなく種々の設計変更を行うことが可能である。
【００５５】
たとえば上記実施例ではインナシリンダ２９とは別部材である係合部材３５をインナシリンダ２９に固定するようにしたが、インナシリンダ２９および係合部材３５を一体に形成することも可能である。
【００５６】
また上記実施例では、シリンダ錠装置２３が、オン位置およびオフ間で回動操作可能なシリンダ錠２５と、該シリンダ錠２５の回動操作に応じてスイッチング態様を切換える作動機構としてのスイッチ機構６１とを備えるものであったが、シリンダ錠２５の回動操作に応じてスイッチ機構ではない作動機構が作動するようにしたものであってもよい。
【図面の簡単な説明】
【００５７】
【図１】乗用車両のインストルメントパネルの右側を示す分解斜視図である。
【図２】インナシリンダをオフ位置に回動した状態での図１の２矢視図である。
【図３】図１の３矢視図である。
【図４】図３の４矢視図である。
【図５】シリンダ錠装置の分解斜視図である。
【図６】図３の６−６線拡大断面図である。
【図７】図４の７−７線拡大断面図である。
【図８】インナシリンダがオフ位置で押し込まれた状態での図２の８−８線拡大断面図である。
【図９】シリンダボディの斜視図である。
【図１０】図６の１０−１０線断面図である。
【図１１】図６の１１−１１線断面図である。
【図１２】インナシリンダの斜視図である。
【図１３】インナシリンダおよび係合部材の分解斜視図である。
【図１４】図６の１４−１４線断面図である。
【図１５】ガイド・規制手段およびガイド手段の働きを説明するための図である。
【符号の説明】
【００５８】
２８・・・シリンダボディ
２９・・・インナシリンダ
３０・・・キー挿入孔
６０・・・ケースであるスイッチケース
６１・・・作動機構であるスイッチ機構
７３・・・ハウジング
７３ａ・・・端壁
７４・・・開口部
７７・・・スリット
７８・・・第１係合突起
７９・・・第１係合孔
８０・・・第２係合突起
８１・・・第２係合孔
８２・・・開き防止部
【図１】
0004792435.tif 000002
【図２】
0004792435.tif 000003
【図３】
0004792435.tif 000004
【図４】
0004792435.tif 000005
【図５】
0004792435.tif 000006
【図６】
0004792435.tif 000007
【図７】
0004792435.tif 000008
【図８】
0004792435.tif 000009
【図９】
0004792435.tif 000010
【図１０】
0004792435.tif 000011
【図１１】
0004792435.tif 000012
【図１２】
0004792435.tif 000013
【図１３】
0004792435.tif 000014
【図１４】
0004792435.tif 000015
【図１５】
0004792435.tif 000016